(57)【要約】【課題】紙の左右両側の位置を揃えて紙が乱れないように上面を押さえることができる上、全体の構造が簡素化され、調整を容易に行うことができる印刷機給紙台のサイドブロック装置を提供する。【解決手段】印刷機給紙台のサイドブロック装置は、固定ユニット１、紙制限ユニット２及び連動ロッドユニット３を備える。固定ユニット１は、印刷機の給紙台に取り付ける結合部１１１が設けられた固定座１１を有する。紙制限ユニット２は、調整ブロック２１と、調整ブロック２１に軸方向で可動可能に貫設された保持軸２２と、保持軸２２の両端に設けられ、紙を押圧する２つのストッパ２３とを有する。２つのストッパ２３は、保持軸２２に伴って軸方向で可動する。連動ロッドユニット３は、一方の端部が固定ユニット１の固定座１１へ可動可能に枢着され、他方の端部が紙制限ユニット２の調整ブロック２１へ可動可能に枢着されている。【選択図】図１
0003162153.tif 000002
【実用新案登録請求の範囲】
【請求項１】
固定ユニット、紙制限ユニット及び連動ロッドユニットを備える印刷機給紙台のサイドブロック装置であって、
前記固定ユニットは、印刷機の給紙台に取り付ける結合部が設けられた固定座を有し、
前記紙制限ユニットは、調整ブロックと、前記調整ブロックに軸方向で可動可能に貫設された保持軸と、前記保持軸の両端に設けられ、紙を押圧する２つのストッパと、を有し、前記２つのストッパは、前記保持軸に伴って軸方向で可動し、
前記連動ロッドユニットは、一方の端部が前記固定ユニットの前記固定座へ可動可能に枢着され、他方の端部が前記紙制限ユニットの前記調整ブロックへ可動可能に枢着されていることを特徴とする印刷機給紙台のサイドブロック装置。
【請求項２】
前記固定ユニットは、回転ハンドルを有し、
前記回転ハンドルは、握持部及び回転部を有し、
前記回転部には、突出された第１の固定部材が接続され、
前記第１の固定部材は、前記固定座の側部に貫設され、前記結合部まで挿入される請求項１に記載の印刷機給紙台のサイドブロック装置。
【請求項３】
前記結合部は、前記固定座に貫設された貫通孔であり、
前記第１の固定部材は、前記固定座の側面に設けたネジ孔に貫設し、前記貫通孔まで挿入されるネジである請求項２に記載の印刷機給紙台のサイドブロック装置。
【請求項４】
前記固定ユニットの前記固定座には、貫通孔が設けられた枢着部が凸設され、
前記連動ロッドユニットは、少なくとも１つの連動ロッドを有し、
前記連動ロッドは、前記固定座に隣接した端部に、前記枢着部の前記貫通孔に対応するように設けられたネジ孔を有し、
前記貫通孔には、前記連動ロッドの前記ネジ孔に螺着された第２の固定部材を貫設させる請求項１に記載の印刷機給紙台のサイドブロック装置。
【請求項５】
前記紙制限ユニットの前記調整ブロックの側部にはネジ孔が設けられ、
前記連動ロッドは、前記調整ブロックに隣接した端部に、前記調整ブロックの前記ネジ孔に対応するように貫通孔が設けられ、
前記貫通孔には、前記第２の固定部材が貫設され、
前記第２の固定部材は、前記調整ブロックの前記ネジ孔に螺着されている請求項４に記載の印刷機給紙台のサイドブロック装置。
【請求項６】
前記連動ロッドユニットは、２つ以上の互いに枢着された連動ロッドを有し、
前記連動ロッドの一方の端部の側部には、ネジ孔が設けられ、
前記連動ロッドの他方の端部の側部には、前記ネジ孔に対応するように貫通孔が設けられ、
前記貫通孔には、前記連動ロッドの前記ネジ孔に螺着された第２の固定部材が貫設されている請求項１に記載の印刷機給紙台のサイドブロック装置。
【請求項７】
前記第２の固定部材は、当接されると摩擦力が発生する皿バネが嵌合されたネジ軸を有するネジである請求項４から６のいずれかに記載の印刷機給紙台のサイドブロック装置。
【請求項８】
前記連動ロッドの端部は、前記ネジ孔に対して垂直に設けられた端部ネジ孔を有し、
前記端部ネジ孔には、前記第２の固定部材に当接された端部を有する第３の固定部材が螺着されている請求項４から６のいずれかに記載の印刷機給紙台のサイドブロック装置。
【請求項９】
前記第３の固定部材は、前記第２の固定部材に当接されるパッドが端部に設けられた無頭ネジである請求項８に記載の印刷機給紙台のサイドブロック装置。
【考案の詳細な説明】
【技術分野】
【０００１】
本考案は、印刷機給紙台のサイドブロック装置に関し、特に、印刷装置給紙台の端部に取り付け、紙の左右両側の位置が乱れないように揃える印刷機給紙台のサイドブロック装置に関する。
【背景技術】
【０００２】
従来、給紙台は、印刷機の供給端に配置され、紙を載置するために用いるのが一般的である。給紙台の上方には、紙に空気を吹き付ける少なくとも１つのエアブローモジュールと、一時的に紙を押さえ付ける圧紙モジュールと、紙を吸着するのに用いる吸紙モジュールと、を有する給紙装置が設けられている。前記エアブローモジュールを用いて紙に空気を吹き付け、前記吸紙モジュールにより紙を吸着した後、前記給紙装置全体により印刷機の供給端へ紙を送り込む。
【０００３】
従来、印刷機の給紙装置は、エアブローモジュールを備えている。エアブローモジュールを紙の後端に向けてエアーを吹き付けると（即ち、吹気）、多数の紙が同時に浮き上がり、一番上にある１枚だけが吸紙モジュールにより吸い込まれるが、残りの紙の位置が乱れてしまう虞があった。そのため、従来、給紙装置には、紙が乱れることを防ぐ位置拘束装置が取り付けられている。この位置拘束装置は、紙の前後の位置を揃えるために、紙の後端及び上面に当接されている。しかし、従来の位置拘束装置では、紙の前後の位置しか揃えることしかできず、左右の位置を揃えることはできなかった。
【０００４】
また、新型の高速印刷機の場合、紙を容易に浮き上がらせるために、紙の後端以外に、左右両側にもエアブローモジュールが複数配置されていることがあり、この場合、紙が左右方向に移動して乱れ易かった。そのため、この問題を解決するために、従来の方法では、左右に配置された２つのエアブローモジュールの風量を調整するものがあったが、位置を正確に調整して揃えることが困難であるため、その効果は限定的であった。
【０００５】
そのため、紙の左右両側の位置を揃えて紙が乱れないように上面を押さえることができるように、印刷機の給紙台の両側に取り付け、全体の構造が簡素化され、容易に調整することができる印刷機給紙台のサイドブロック装置が求められていた。
【考案の概要】
【考案が解決しようとする課題】
【０００６】
本考案は、従来における前記諸問題を解決し、以下の目的を達成することを課題とする。即ち、本考案は、紙の左右両側の位置を揃えて紙が乱れないように上面を押さえることができる上、全体の構造が簡素化され、調整を容易に行うことができる印刷機給紙台のサイドブロック装置を提供することを目的とする。
【課題を解決するための手段】
【０００７】
前記課題を解決するための手段としては、以下の通りである。即ち、
＜１＞  固定ユニット、紙制限ユニット及び連動ロッドユニットを備える印刷機給紙台のサイドブロック装置であって、前記固定ユニットは、印刷機の給紙台に取り付ける結合部が設けられた固定座を有し、前記紙制限ユニットは、調整ブロックと、前記調整ブロックに軸方向で可動可能に貫設された保持軸と、前記保持軸の両端に設けられ、紙を押圧する２つのストッパと、を有し、前記２つのストッパは、前記保持軸に伴って軸方向で可動し、前記連動ロッドユニットは、一方の端部が前記固定ユニットの前記固定座へ可動可能に枢着され、他方の端部が前記紙制限ユニットの前記調整ブロックへ可動可能に枢着されていることを特徴とする印刷機給紙台のサイドブロック装置である。
【０００８】
＜２＞  前記固定ユニットは、回転ハンドルを有し、前記回転ハンドルは、握持部及び回転部を有し、前記回転部には、突出された第１の固定部材が接続され、前記第１の固定部材は、前記固定座の側部に貫設され、前記結合部まで挿入される前記＜１＞に記載の印刷機給紙台のサイドブロック装置である。
【０００９】
＜３＞  前記結合部は、前記固定座に貫設された貫通孔であり、前記第１の固定部材は、前記固定座の側面に設けたネジ孔に貫設し、前記貫通孔まで挿入されるネジである前記＜２＞に記載の印刷機給紙台のサイドブロック装置である。
【００１０】
＜４＞  前記固定ユニットの前記固定座には、貫通孔が設けられた枢着部が凸設され、前記連動ロッドユニットは、少なくとも１つの連動ロッドを有し、前記連動ロッドは、前記固定座に隣接した端部に、前記枢着部の前記貫通孔に対応するように設けられたネジ孔を有し、前記貫通孔には、前記連動ロッドの前記ネジ孔に螺着された第２の固定部材を貫設させる前記＜１＞に記載の印刷機給紙台のサイドブロック装置である。
【００１１】
＜５＞  前記紙制限ユニットの前記調整ブロックの側部にはネジ孔が設けられ、前記連動ロッドは、前記調整ブロックに隣接した端部に、前記調整ブロックの前記ネジ孔に対応するように貫通孔が設けられ、前記貫通孔には、前記第２の固定部材が貫設され、前記第２の固定部材は、前記調整ブロックの前記ネジ孔に螺着されている前記＜４＞に記載の印刷機給紙台のサイドブロック装置である。
【００１２】
＜６＞  前記連動ロッドユニットは、２つ以上の互いに枢着された連動ロッドを有し、前記連動ロッドの一方の端部の側部には、ネジ孔が設けられ、前記連動ロッドの他方の端部の側部には、前記ネジ孔に対応するように貫通孔が設けられ、前記貫通孔には、前記連動ロッドの前記ネジ孔に螺着された第２の固定部材が貫設されている前記＜１＞に記載の印刷機給紙台のサイドブロック装置である。
【００１３】
＜７＞  前記第２の固定部材は、当接されると摩擦力が発生する皿バネが嵌合されたネジ軸を有するネジである前記＜４＞から＜６＞のいずれかに記載の印刷機給紙台のサイドブロック装置である。
【００１４】
＜８＞  前記連動ロッドの端部は、前記ネジ孔に対して垂直に設けられた端部ネジ孔を有し、前記端部ネジ孔には、前記第２の固定部材に当接された端部を有する第３の固定部材が螺着されている前記＜４＞から＜６＞のいずれかに記載の印刷機給紙台のサイドブロック装置である。
【００１５】
＜９＞  前記第３の固定部材は、前記第２の固定部材に当接されるパッドが端部に設けられた無頭ネジである前記＜８＞に記載の印刷機給紙台のサイドブロック装置である。
【考案の効果】
【００１６】
本考案によれば、従来における前記諸問題を解決し、前記目的を達成することができ、紙の左右両側の位置を揃えて紙が乱れないように上面を押さえることができる上、全体の構造が簡素化され、調整を容易に行うことができる印刷機給紙台のサイドブロック装置を提供することができる。
【図面の簡単な説明】
【００１７】
【図１】図１は、本考案の一実施形態による印刷機給紙台のサイドブロック装置を示す斜視図である。
【図２】図２は、本考案の一実施形態による印刷機給紙台のサイドブロック装置を示す分解斜視図である。
【図３】図３は、本考案の一実施形態による印刷機給紙台のサイドブロック装置を使用するときの状態を示す模式図である。
【図４】図４は、本考案の一実施形態による印刷機給紙台のサイドブロック装置を使用するときの状態を示す模式図である。
【考案を実施するための形態】
【００１８】
以下、本考案の実施形態について図に基づいて説明する。なお、これによって本考案が限定されるものではない。
【００１９】
図１及び図２に示すように、本考案の一実施形態による印刷機給紙台のサイドブロック装置は、固定ユニット１、紙制限ユニット２及び連動ロッドユニット３を有する。
固定ユニット１は、印刷機の給紙台に取り付けるために用いる結合部１１１が設けられた矩形状又はその他の形状の固定座１１を有する。
紙制限ユニット２は、矩形状又はその他の形状の調整ブロック２１と、調整ブロック２１に軸方向で可動可能に貫設された保持軸２２と、保持軸２２の両端に設けられ、紙を押圧するために用いる２つのストッパ２３と、を有する。２つのストッパ２３は、中央部分に貫通孔２３１を有するプラスチック又はゴムからなる円柱体である。２つのストッパ２３は、調整ブロック２１に貫設された保持軸２２の両端に、貫通孔２３１により嵌合され、保持軸２２に伴って軸方向で可動する。
連動ロッドユニット３は、互いに枢着された２つ以上の連動ロッド３１をさらに有する。連動ロッド３１は、一方の側部に設けられたネジ孔３１２と、他方の側部に設けられ、ネジ孔３１２に対応するように設けられた貫通孔３１１と、を有する。
第２の固定部材３１３は、一方の連動ロッド３１の貫通孔３１１に貫設させてから、他の連動ロッド３１のネジ孔３１２に貫設させることにより、互いに枢着された２つ以上の連動ロッド３１を回転させることができる。その後、各連動ロッド３１の端部を、固定ユニット１の固定座１１及び紙制限ユニット２の調整ブロック２１へそれぞれ可動可能に枢着させる。この構造により、紙制限ユニット２は、紙のサイズ及び高さに応じ、上下位置、左右位置及び高さを自在に調整することができる。
【００２０】
図２に示すように、本考案の一実施形態による固定ユニット１は、回転ハンドル１２を有する。
回転ハンドル１２は、円状ロッドの握持部１２１と、握持部１２１の端部に設けられた回転部１２２と、を有する。回転部１２２の端部は、突出された第１の固定部材１２３に接続され、固定座１１の側部に第１の固定部材１２３を貫設し、上述の結合部１１１まで挿入させる。これにより、印刷機の給紙台に結合部１１１を取り付ける際、回転ハンドル１２の第１の固定部材１２３を利用すると、印刷機の給紙台へ迅速に取り付けることができる。固定座１１の結合部１１１には、印刷機の給紙台の円状ロッドを貫設させることができる。第１の固定部材１２３は、固定座１１の側部に設けられたネジ孔１１２から入れ、結合部１１１（即ち、貫通孔）まで挿入されたネジである。これにより、印刷機の給紙台上へ固定ユニット１を迅速に螺着させることができる。
【００２１】
上述の固定ユニット１の固定座１１には、貫通孔１１４が設けられた枢着部１１３が凸設されている。上述の連動ロッドユニット３は、少なくとも１つの連動ロッド３１を有する。この連動ロッド３１は、固定座１１に隣接した端部に、枢着部１１３の貫通孔１１４に対応するようにネジ孔３１２が設けられている。第２の固定部材３１３は、枢着部１１３の貫通孔１１４に貫設させてから、ネジ孔３１２に螺着すると、固定ユニット１の固定座１１上に連動ロッドユニット３が可動可能に枢着される。これにより、連動ロッドユニット３を回転させて調整することができる。
【００２２】
図２に示すように、本実施形態の紙制限ユニット２は、調整ブロック２１の側部にネジ孔２１１が設けられている。上述の連動ロッドユニット３の少なくとも１つの連動ロッド３１は、調整ブロック２１に隣接した端部に、調整ブロック２１のネジ孔２１１に対応するように設けられた貫通孔３１１を有する。
第２の固定部材３１３は、貫通孔３１１に貫設し、調整ブロック２１のネジ孔２１１に螺着させることにより、紙制限ユニット２の調整ブロック２１に連動ロッドユニット３が可動可能に枢着されている。そのため、連動ロッドユニット３及び調整ブロック２１を回転させることにより、紙制限ユニット２の位置及び高さを容易に調整することができる。
【００２３】
図１及び図２に示すように、上述の第２の固定部材３１３はネジである。このネジのネジ軸には、当接により摩擦力が発生する皿バネ３１４が嵌合されている上、ワッシャ３１５を選択的に嵌合させてもよい。この皿バネ３１４は、第２の固定部材３１３のネジ部と、枢着部１１３、調整ブロック２１又は連動ロッド３１との間に配置してもよい。皿バネ３１４は、枢着部１１３と連動ロッド３１との間、調整ブロック２１と連動ロッド３１との間、連動ロッド３１と連動ロッド３１との間に設けて当接させることにより、その枢着部位が皿バネ３１４の摩擦力を利用し、容易に調整して位置決めすることができる。
【００２４】
図１及び図２に示すように、各連動ロッド３１の端部は、ネジ孔３１２に垂直に設けられた端部ネジ孔３１６を有してもよい。
端部ネジ孔３１６には、第２の固定部材３１３に当接される端部を有する第３の固定部材３１７が螺着される。第３の固定部材３１７は、第２の固定部材３１３に当接され、第３の固定部材３１７より硬度が低いパッド３１７１が端部に設けられた無頭ネジである。第３の固定部材３１７を用いることにより、第２の固定部材３１３が緩むことを防ぎ、皿バネ３１４の摩擦力を保持することができる。
【００２５】
図１、図３及び図４に示すように、本実施形態の印刷機給紙台のサイドブロック装置を実際に使用する際は、印刷機給紙装置４０の円状ロッド４０１の両端又はその他所定の箇所を固定ユニット１の固定座１１の結合部１１１に接続した後、回転ハンドル１２を利用して螺着させる。これにより、紙制限ユニット２は、連動ロッドユニット３を利用し、紙５０の左右両側の位置へ保持軸２２を当接させて紙５０の位置を左右方向で調整してから、紙５０の左右両側の上面へストッパ２３の底端面を当接させる。これにより、紙５０が浮いて左右方向へ移動することを防ぐことができるとともに、サイドブロック装置全体を印刷機給紙装置４０に伴って移動させることができる。上述したことから分かるように、本考案の印刷機給紙台のサイドブロック装置は、紙の左右両側の位置を揃えて紙が乱れないように上面を押さえることができる上、全体の構造が簡素化され、調整を容易に行うことができる。
【００２６】
当該分野の技術を熟知するものが理解できるように、本考案の好適な実施形態を前述の通り開示したが、これらは決して本考案を限定するものではない。本考案の趣旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１        固定ユニット
２        紙制限ユニット
３        連動ロッドユニット
１１      固定座
１２      回転ハンドル
２１      調整ブロック
２２      保持軸
２３      ストッパ
３１      連動ロッド
４０      印刷機給紙装置
５０      紙
１１１    結合部
１１２    ネジ孔
１１３    枢着部
１１４    貫通孔
１２１    握持部
１２２    回転部
１２３    第１の固定部材
２１１    ネジ孔
２３１    貫通孔
３１１    貫通孔
３１２    ネジ孔
３１３    第２の固定部材
３１４    皿バネ
３１５    ワッシャ
３１６    端部ネジ孔
３１７    第３の固定部材
４０１    円状ロッド
３１７１  パッド
【図１】
0003162153.tif 000003
【図２】
0003162153.tif 000004
【図３】
0003162153.tif 000005
【図４】
0003162153.tif 000006